(57)【要約】【課題】回転防止部材を取り外し忘れによる駆動モータの損傷を防止する送風装置を提供すること。【解決手段】送付機ユニットを内蔵する箱状の本体１と、本体１の内部に固定された駆動モータ７と、駆動モータ７の出力軸７ａに直結され本体１の端部から突出する回転軸５と、一端を回転軸５に固定され他端を設置面に固定された取付足２と、取付足２に設けられた端子台１０と、取付足２と本体１とに係合して取付足２に対する本体１の回転を規制する回転規制部８ａ、及び端子台１０を覆う端子台遮蔽壁部８ｂを有し、端子台１０を露呈するように位置を変更すると、回転規制部８ａの係合が外れて、取付足２に対して本体１が回転可能となる回転防止部材８とを備えている。【選択図】図８
2011190999.tif 000002
【特許請求の範囲】
【請求項１】
天井等の設置面に風向きが可変となるよう回転可能に取り付けられる送風装置であり、  送付機ユニットを内蔵する箱状の本体と、
前記本体の両端部にそれぞれ設けられた軸受に回転自在に支持されて前記本体を貫通する回転軸及び副回転軸と、
前記本体の内部に固定され駆動軸を前記回転軸に直結された駆動モータと、
一端を前記回転軸に固定され他端を前記設置面に固定された取付足と、
一端を前記副回転軸に固定され他端を前記設置面に固定された副取付足と、
前記取付足に設けられた端子台と、
前記取付足と前記本体とに係合して前記取付足に対する前記本体の回転を規制する回転規制部、及び前記端子台を覆う端子台遮蔽壁部を有し、前記端子台を露呈するように位置を変更すると、前記回転規制部の係合が外れて、前記取付足に対して前記本体が回転可能となる回転防止部材と、
を備えたことを特徴とする送風装置。
【請求項２】
天井等の設置面に風向きが可変となるよう回転可能に取り付けられる送風装置であり、  送付機ユニットを内蔵する箱状の本体と、
前記本体の内部に固定された駆動モータと、
前記駆動モータの駆動軸に直結され前記本体の端部から突出する回転軸と、
一端を前記回転軸に固定され他端を前記設置面に固定された取付足と、
前記取付足に設けられた端子台と、
前記取付足と前記本体とに係合して前記取付足に対する前記本体の回転を規制する回転規制部、及び前記端子台を覆う端子台遮蔽壁部を有し、前記端子台を露呈するように位置を変更すると、前記回転規制部の係合が外れて、前記取付足に対して前記本体が回転可能となる回転防止部材と、
を備えたことを特徴とする送風装置。
【請求項３】
前記回転防止部材は、前記取付足及び前記本体に対して着脱自在に設けられている
ことを特徴とする請求項１または２に記載の送風装置。
【請求項４】
前記回転防止部材が、端子台カバーを兼ねている
ことを特徴とする請求項１から３のいずれか１項に記載の送風装置。
【請求項５】
前記回転防止部材は、回転防止部材として機能する準備時姿勢と、端子台カバーとして機能する運転時姿勢の２つの取付姿勢を有する
ことを特徴とする請求項１から３のいずれか１項に記載の送風装置。
【請求項６】
前記回転防止部材は、前記準備時姿勢にて取り付けられるとき、前記取付足に係合して落下を防止する落下防止爪を有する
ことを特徴とする請求項５に記載の送風装置。
【発明の詳細な説明】
【技術分野】
【０００１】
本発明は、本体に内蔵された駆動モータにより本体が回転可能であり、送風方向を変更できる送風装置に関するものである。
【背景技術】
【０００２】
従来、本体両側部にそれぞれ回転可能に回転軸を設け、この回転軸の外部側を、天井等の設置面から延びる取付足に固定するとともに、回転軸の内部側を本体に内蔵された駆動モータに直結し、この駆動モータを回転させることで、本体を回転させ送風方向を変更する送風装置がある（例えば、特許文献１参照）。
【先行技術文献】
【特許文献】
【０００３】
【特許文献１】国際公開第２００９／１０７２００号
【発明の概要】
【発明が解決しようとする課題】
【０００４】
上記のような構造の送風装置によれば、本体の向きを所定方向に保持するために、駆動モータは回転角度位置を保持できる構造を持つものが用いられる。このようなモータは、駆動軸を強制的に回転させるような外力が加わったときに耐力がなく破損することがあるので取り扱いが難しい。
【０００５】
一方、上記駆動モータの破損を防ぐ一般的な方法としては、出荷時に回転防止用包装材を取り付け、据付終了時まで取り外さないことという旨の注意銘板にて注意を喚起する方法がある。しかしながら、この注意銘板が功を奏さず、開梱時に容易に取り外されてしまうという問題があった。また逆に、回転防止用包装材の取り外し忘れにより、本体の回転を防止した状態で駆動モータを作動してしまい駆動モータが破損するという問題点もあった。
【０００６】
本発明は、上記に鑑みてなされたものであって、第１の目的は、回転用の駆動モータが内蔵された送風装置の本体に、これを回転させるような外力が加わっても、本体を回転する駆動モータに外力が伝達されないようにして、駆動モータの破損を防ぐことができる送風装置を提供することを目的とする。
【０００７】
また、第２の目的は、据付時に配線作業を行う際、回転防止部材を取り外さないと配線作業ができないようにして、配線終了時に必ず本体の回転防止構造が解除されるので、取り外し忘れによる故障がない送風装置を提供することを目的とする。
【課題を解決するための手段】
【０００８】
上述した課題を解決し、目的を達成するために、本発明の天井等の設置面に風向きが可変となるよう回転可能に取り付けられる送風装置であり、送風機ユニットを内蔵する箱状の本体と、本体の内部に固定された駆動モータと、駆動モータの駆動軸に直結され本体の端部から突出する回転軸と、一端を回転軸に固定され他端を設置面に固定された取付足と、取付足に設けられた端子台と、取付足と本体とに係合して取付足に対する本体の回転を規制する回転規制部、及び端子台を覆う端子台遮蔽壁部を有し、端子台を露呈するように位置を変更すると、回転規制部の係合が外れて、取付足に対して本体が回転可能となる回転防止部材とを備えたことを特徴とする。
【発明の効果】
【０００９】
本発明によれば、送風装置の本体に内蔵された駆動モータにより回転可能である本体に外力が加わっても本体の回転を防止するとともに、電源接続時に必ず本体の回転防止が解除され、本体を回転する駆動モータの破損を防ぐことができるという効果を奏する。
【００１０】
さらに、本発明によれば、据付時に配線作業を行う際、回転防止部材を取り外さないと配線作業ができないので、配線終了時に必ず本体の回転防止構造が解除され、取り外し忘れによる故障がない。
【図面の簡単な説明】
【００１１】
【図１】図１は、この発明の送風装置の実施の形態１の全体の外観を示す上面図である。
【図２】図２は、この発明の送風装置の実施の形態１の全体の外観を示す正面図である。
【図３】図３は、この発明の送風装置の実施の形態１の全体の外観を示す側面図である。
【図４】図４は、送風装置の要部を詳細に示す上方から見た断面図である。
【図５】図５は、送風装置の要部を詳細に示す正面から見た断面図である。
【図６】図６は、送風装置の送風方向を変化させた様子を示す側面図である。
【図７】図７は、この発明の送風装置の実施の形態１の回転防止部材の斜視図である。
【図８】図８は、図７の回転防止部材を送風装置に装着し、外力により駆動モータが回転しない状態とした様子を示す正面から見た断面図である。
【図９】図９は、送風装置から回転防止部材を取り外し、配線作業を終えた様子を示す断面図である。
【図１０】図１０は、この発明の送風装置の実施の形態２の回転防止部材である端子台カバーを示す斜視図である。
【図１１】図１１は、図１０の端子台カバーを送風装置に装着し、外力により駆動モータが回転しない状態とした様子を示す断面図である。
【図１２】図１２は、図１０の端子台カバーを送風装置に組込み、送風装置の回転保護を解除し、配線作業を終えた様子を示す断面図である。
【図１３】図１３は、落下防止爪が働き端子台カバーの落下が防止された様子を示す断面図である。
【発明を実施するための形態】
【００１２】
以下に、本発明にかかる送風装置の実施の形態を図面に基づいて詳細に説明する。なお、この実施の形態によりこの発明が限定されるものではない。
【００１３】
実施の形態１．
天井等の設置面に風向きが可変となるよう回転可能に取り付けられる送風装置である。図１は、この発明の送風装置の実施の形態１の全体の外観を示す上面図である。図２は、正面図である。図３は、側面図である。送風装置は、細長直方体箱状の本体１と、この本体１の両端部（両側面部）に配設され天井等の設置面９０から本体を支持する取付足２と取付足（副取付足）３とから構成割合されている。本体１の内部には羽根とモータからなる送風ユニット（図示しない）が収納されている。本体１の一面にはスリット状のノズル４が設けられており、送風ユニットが動作すると、風がスリット状のノズル４を通って吹き出す構造となっている。
【００１４】
図４は、送風装置の要部を詳細に示す上方から見た断面図である。図５は、送風装置の要部を詳細に示す正面から見た断面図である。図６は、送風装置の送風方向を変化させた様子を示す側面図である。図４、図５に示すように、本体１の一方の側部には回転軸５が軸受け１ａに回転自在に支持されて取り付けられている。本体１の他方の側部には回転軸（副回転軸）６が軸受け１ｂに回転自在に支持されて取り付けられている。回転軸５及び回転軸６の先端はともに本体１から突出し、回転軸５の先端は取付足２に固定され、回転軸６の先端は取付足３に固定されている。
【００１５】
本実施の形態の送風装置は、上記のように本体１の両端部に回転自在に設けられた２本の回転軸５と回転軸６により支持されているが、例えば、回転軸５の剛性や回転軸５を示威する軸受１ａの強度を大きくすることにより、回転軸６を省略し、回転軸５及び取付足２のみで本体１を回転可能に支持することも可能である。
【００１６】
本体１の内部に駆動モータ７が固定されており、上記の回転軸５の後端が駆動モータ７の出力軸７ａに直結されている。取付足２，３が設置面９０に固定されているため、本体１に内蔵された駆動モータ７が動作すると、本体１が回転軸５，６を中心に回転し、図６に示すように送風方向の変更が可能となっている。
【００１７】
図７は、この発明の送風装置の実施の形態１の回転防止部材の斜視図である。図８は、図７の回転防止部材を送風装置に装着し、外力により駆動モータが回転しない状態とした様子を示す正面から見た断面図である。図９は、送風装置から回転防止部材を取り外し、配線作業を終えた様子を示す断面図である。
【００１８】
図７に示すように、回転防止部材８は、板金材料を折り曲げることにより作製され、中央部の両端部から直角に折れ曲がって延びる回転規制部８ａと、回転規制部８ａの反対側で中央部に対して直角に折り曲げられた端子台遮蔽壁部８ｂとから成り、中央部に設けられた締結穴８ｃ、８ｃを貫通する図示しない締結ボルトにより取付足２に着脱自在に固定される。
【００１９】
上記のようにして、回転防止部材８を送風装置に装着と、図８に示すように、回転防止部材８の回転規制部８ａが本体１の側面（駆動モータ７側の側面）に形成された係合凹部９に挿入される。この状態で回転規制部８ａは、取付足２と本体１の両方に係合することとなり両者間の相対的な移動を規制する。これにより、本体１の回転が防止され、駆動モータ７に外力が作用しない構造となる。なお、係合凹部９の代わりに、本体１の外郭を係合させて外力による回転を防止してもよい。
【００２０】
取付足２には、電源配線１２が結線される端子台１０が設けられている。そして、上記のように回転防止部材８が取付足２に固定されると、回転防止部材８の端子台遮蔽壁部８ｂは、端子台１０を覆う。この状態では、端子台１０の結線口１１と端子台遮蔽壁部８ｂが正対して配置されるため結線口１１への配線作業が出来ない。
【００２１】
回転防止部材８を外さなければ電源の配線作業が出来ないため、回転防止部材８の取外し忘れが発生しない。また、電源の配線作業終了後に誤って回転防止部材８をそのまま再び送風装置に取り付ようとしても、図９に示すように、端子台１０の結線口１１には電源配線１２が結線されており、端子台遮蔽壁部８ｂと電源配線１２が干渉するため、取り付けは不可能である。これにより、回転防止部材８が装着されたまま駆動モータ７に電源供給され、駆動モータ７が回転しようとして破損してしまうことがない。
【００２２】
実施の形態２．
図１０は、この発明の送風装置の実施の形態２の回転防止部材である端子台カバーの斜視図である。図１１は、図１０の端子台カバーを送風装置に装着し、外力により駆動モータが回転しない状態とした様子を示す断面図である。図１２は、図１０の端子台カバーを送風装置に組込み、送風装置の回転保護を解除し、配線作業を終えた様子を示す断面図である。図１３は、落下防止爪が働き端子台カバーの落下が防止された様子を示す断面図である。
【００２３】
本実施の形態の回転防止部材は、端子台１０を保護するために端子台１０の全体を覆う端子台カバー１３が機能的に兼用している。図１０の斜視図に示すように、端子台カバー１３は一面のみ開口した直方体箱体の形状を成し、開口面に隣接した一側面の両端部を延長して突出させた回転規制部１３ａと、回転規制部１３ａと対向している面に開口された電源配線引出用開口部１３ｂが設けられている。
【００２４】
端子台カバー１３は、搬送をはじめとする運転前の状態の送風装置に取り付けられる回転防止部材として装着される準備時姿勢と、設置面９０に設置されて実際に運転する送風装置に端子台カバーとして装着される運転時姿勢の２つの取付姿勢を有する。
【００２５】
図１１に示すような準備時姿勢の場合、端子台カバー１３を取付足２に固定すると端子台カバー１３の回転規制部１３ａが本体１の外郭に係合し、これにより本体１の外力による回転を防止できる構造となっている。
【００２６】
電源の配線作業終了後に端子台カバー１３を再度取り付ける際、そのまま準備時姿勢にて、取り付けようとすると、端子台カバー１３の電源配線引出用開口部１３ｂが取付足２に設けられた配線防止板１４により隠されてしまうため、電源配線１２が端子台カバー１３の電源配線引出用開口部１３ｂより取り出すことができない。電源の配線作業終了後は、図１２に示すように端子台カバー１３を１８０°向きを変えて運転時姿勢にて取り付けることにより、電源配線引出用開口部１３ｂより電源配線１２を取り出すことが可能となる。このように、本体１が回転を抑制されたまま駆動モータ７には電源供給ができないため、駆動モータ７を誤って動作させて破損させてしまうことがない。
【００２７】
本実施の形態のように、端子台カバー１３に回転規制部１３ａの機能を設けることにより、実施の形態１のような特別な部品を設ける必要がない。その他の構成は実施の形態１と同様である。
【００２８】
なお、本実施の形態の端子台カバー１３は、図１０に示すように、回転規制部１３ａの先端から曲げて形成された落下防止爪１３ｃを有しており、配線作業終了後に端子台カバー１３を運転時姿勢にて送風装置に取り付け直す際、例えば誤って手を離しても図１３に示すように落下防止爪１３ｃが取付足２に引っかかることによって、端子台カバー１３の落下を防止することができる。
【産業上の利用可能性】
【００２９】
以上のように、本発明にかかる送風装置は、本体に内蔵された駆動モータにより本体が回転可能とされ送風方向を変更できる送風装置に適用されて有用なものである。
【符号の説明】
【００３０】
１  本体
２  取付足
３  取付足（副取付足）
４  ノズル
５  回転軸
６  回転軸（副回転軸）
７  駆動モータ
７ａ  出力軸
８  回転防止部材
８ａ  回転規制部
８ｂ  端子台遮蔽壁部
８ｃ  締結穴
９  係合凹部
１０  端子台
１１  結線口
１２  電源配線
１３  端子台カバー
１３ａ  回転規制部
１３ｂ  電源配線引出用開口部
１３ｃ  落下防止爪
１４  配線防止板
９０  設置面
【図１】
2011190999.tif 000003
【図２】
2011190999.tif 000004
【図３】
2011190999.tif 000005
【図４】
2011190999.tif 000006
【図５】
2011190999.tif 000007
【図６】
2011190999.tif 000008
【図７】
2011190999.tif 000009
【図８】
2011190999.tif 000010
【図９】
2011190999.tif 000011
【図１０】
2011190999.tif 000012
【図１１】
2011190999.tif 000013
【図１２】
2011190999.tif 000014
【図１３】
2011190999.tif 000015